(57)【要約】【課題】すでに屋根材が葺かれた既設の屋根構造に太陽電池モジュールを取り付ける場合に、太陽電池モジュールの取り付けを容易に実施可能な屋根構造を提供する。【解決手段】屋根材２ｂの一部である軒側の面１１ａの底側部分が、軒側に位置する屋根材２ａの棟側部分に重ねられた基礎屋根構造に対し、取付具を固定する。このとき、取付具の土台部分となる本体部２０は、軒側の面１１ａと接触する軒側取付面を有する前板部２５と、屋根材２の上に被さるとともに保持部材が取り付けられる保持部材取付部２６と、屋根材２の上面側に当接する脚部２７とを備えた構成とする。そして、前板部２５の軒側取付面が屋根材２の軒側壁面部に対して締結要素を介して固定された状態とする。【選択図】図１１
2015055075.tif 000002
【特許請求の範囲】
【請求項１】
屋根材が敷きつめられ、さらにその上に取付具を介して太陽電池モジュールが設置された屋根構造であって、前記屋根材は軒側の面を有し、軒側の面の底側部分が他の屋根材の棟側に重ねられた状態で敷きつめられている屋根構造において、
前記屋根材は設置状態を基準として軒側に向かう面に軒側壁面部が形成されており、
前記取付具は、前記屋根材に固定される本体部と保持部材を有し、
前記保持部材は、前記太陽電池モジュールの辺部を保持する、又は前記太陽電モジュールを固定するための部材を保持するものであって、
前記本体部は、前記軒側壁面部に固定される軒側取付面と、前記屋根材の上に被さるとともに保持部材が取り付けられる保持部材取付部と、前記屋根材の上面側に当接する脚部とを有し、
前記軒側取付面が前記軒側壁面部に対して締結要素を介して固定されていることを特徴とする屋根構造。
【請求項２】
前記屋根材に固定された前記軒側取付面の下端側が、他の屋根材の上面と当接していることを特徴とする請求項１に記載の屋根構造。
【請求項３】
前記本体部は一枚の金属板を折り曲げて成形されたものであり、前記脚部は前記屋根材の上面と面接触する面状部分を有し、前記軒側取付面と前記脚部との間に前記保持部材取付部が設けられており、前記面状部分と同一平面となる仮想面が前記軒側取付面と略垂直に交わることを特徴とする請求項１又は２に記載の屋根構造。
【請求項４】
軒側に向かう面に軒側壁面部が存在する屋根材と、太陽電池モジュールとの間に介在され、前記太陽電池モジュールを前記屋根材に固定する取付具において、
前記屋根材側に固定される本体部と保持部材を有し、
前記保持部材は、前記太陽電池モジュールの辺部を保持する、又は前記太陽電モジュールを固定するための部材を保持するものであって、
前記本体部は、前記軒側壁面部に接すると共に当該軒側壁面部に締結要素を介して取り付けるための軒側取付面と、前記屋根材の上に隙間を空けた状態で被さると共に前記保持部材を締結要素を介して取り付けるための保持部材取付部と、前記屋根材の上面側に当接する脚部とを有することを特徴とする太陽電池モジュールの取付具。
【請求項５】
軒側に向かう面に軒側壁面部が存在する屋根材を複数備え、前記屋根材が列状及び複数段状に並べられて平面的な広がりをもって載置される屋根に対して太陽電池モジュールを取り付ける取付構造であって、
請求項４に記載の太陽電池モジュールの取付具を備えており、
前記軒側取付面を前記軒側壁面部に対して締結要素を介して固定することで、太陽電池モジュールの取付具が前記屋根材に固定されていることを特徴とする太陽電池モジュールの取付構造。
【請求項６】
請求項４に記載の太陽電池モジュールの取付具を用いる太陽電池モジュールの取付工法であって、
屋根材の軒側に向かう面に存在する軒側壁面部に対し、前記軒側取付面を締結要素を介して固定する工程を含むことを特徴とする太陽電池モジュールの取付工法。
【発明の詳細な説明】
【技術分野】
【０００１】
本発明は、太陽電池モジュールを取り付けて形成される屋根構造、屋根上に太陽電池モジュールを取り付けるための太陽電池モジュールの取付具、太陽電池モジュールの取付構造、及び太陽電池モジュールの取付工法に関するものである。
【背景技術】
【０００２】
近年、太陽光発電システムの普及が進められている。太陽光発電システムは、一般住宅やビル等の建屋上に太陽電池モジュールを取り付けて形成するものであり、発電した電力の建屋内への供給や、余剰電力の電力会社への売却が可能となっている。
【０００３】
太陽電池モジュールを建屋上に取り付ける取付構造として、以下の２つの構造が知られている。第１の構造は、屋根下地の上に瓦や金属板といった屋根材を葺き、さらにその上に太陽電池モジュールを取り付ける構造である。また、第２の構造は、太陽電池モジュールに瓦の機能を具備させ、屋根下地の上に太陽電池モジュールを敷き詰めていく構造である。
【０００４】
第１の構造としては、例えば、特許文献１に開示された構造がある。この屋根構造で採用される太陽電池モジュールの取付具（以下単に取付具とも称す）は、太陽電池モジュールを挟持するための板状部（中間板部材、押さえ板部材）と、土台部分（固定部）を備えた構成となっている。そして、この屋根構造では、屋根下地の上に屋根材を敷き詰めていく際、屋根材と共に取付具の土台部分を取り付けている。
このことから、屋根構造を構築する過程では、基礎屋根構造、すなわち、敷き詰められた屋根材の上側から土台部分が露出した基礎となる屋根構造が形成されることとなる。そして、この基礎屋根構造に対し、露出した土台部分に上記した板状部を取り付けると、屋根材及び土台部分の上側で太陽電池モジュールを固定する屋根構造が構築されることとなる。すなわち、屋根材が葺かれた部分の上側に太陽電池モジュールが取り付けられた屋根構造が構築されることとなる。
【０００５】
より具体的には、特許文献１に開示された屋根構造では、屋根材の取付用孔と取付具の土台部分に形成した取付用孔とを重ね合わせてネジ釘等の締結部材を挿通し、屋根材と土台部分を屋根下地に一体に固定している。このとき、段状に隣接する２つの屋根材のうち、軒側に位置する屋根材と土台部分の一部とを共に固定している。そして、軒側に位置する屋根材と土台部分の取付用孔、すなわち、締結要素を挿通するための取付用孔を棟側に位置する他の屋根材によって覆った状態としている。このため、土台部分を固定するための取付用孔から雨水等が屋根下地側へと浸入し難く、雨漏りし難い構造とすることができる。
【０００６】
第２の構造としては、例えば、特許文献２、特許文献３に開示された構造がある。特許文献２に開示された屋根構造では、吊り子の固定部を屋根下地（野地板）に釘で固定しており、この吊り子の上側に金属屋根部材と太陽電池からなる屋根材モジュールが載置された構造となっている。より詳細には、屋根材モジュールの軒側端部寄りの部分が吊り子に載置され、屋根下地から離れた位置に支持された状態となっている。そして、この屋根構造では、屋根材モジュールの軒側端部の下側に、隣接配置する他の屋根材モジュールの棟側端部を位置させ、これら２つの屋根材モジュールを連結部材で一体に固定している。
つまり、特許文献２に開示された構造は、金属屋根部材と太陽電池とを少なくとも備えた屋根材モジュールを止めネジ等（特許文献２における止めネジ５４等）を用いて予め組み立てておき、この屋根材モジュールを吊り子を介して屋根下地に取り付け、さらに屋根材モジュール同士を一体に固定する構造であるといえる。
【０００７】
特許文献３に開示された屋根構造では、野地板に直接取り付けられた固定金具に対し、表面に太陽電池が貼着された金属屋根材を取り付けている。つまり、この屋根構造は、太陽電池と金属屋根材からなる部材を予め一体に形成し、固定金具を介して野地板に直接取り付けた構造であるといえる。
【先行技術文献】
【特許文献】
【０００８】
【特許文献１】特開２０１１−１６３０６２号公報
【特許文献２】特開２０００−９６７７５号公報
【特許文献３】特開平８−２７０１５１号公報
【発明の概要】
【発明が解決しようとする課題】
【０００９】
上記した従来技術の取付構造では、新たに屋根を構築する際に太陽電池モジュールを取り付けることを想定している。そのため、すでに屋根下地の上に瓦等の屋根材が葺かれて形成された既設の屋根構造に太陽電池モジュールを取り付けようとする場合、取り付け作業が煩雑になってしまう可能性がある。
【００１０】
より詳細に説明すると、特許文献１に開示された構造では、屋根材と共に取付具の土台部分を屋根下地に固定する必要があるため、既設の屋根構造に太陽電池モジュールを取り付ける場合、すでに葺かれた瓦等の屋根材を取り外さなければならない場合がある。すなわち、すでに葺かれた屋根材を取り外し、剥き出しとなった屋根下地に対して屋根材と共に取付具を取り付けていく必要が生じてしまう。
【００１１】
また、特許文献２、特許文献３に開示された構造でもまた、既設の屋根構造に太陽電池モジュールを取り付ける場合、すでに葺かれた瓦等の屋根材を取り外す必要が生じてしまう。すなわち、すでに葺かれた屋根材を取り外し、屋根下地に対して吊り子や固定金具等を取り付け、さらにその上側に屋根材モジュール等（屋根部材と太陽電池からなる部材）を取り付けていく必要がある。
【００１２】
つまり、上記した従来の屋根構造では、すでに屋根材が葺かれた既設の屋根構造に太陽電池モジュールを取り付ける場合、葺かれた屋根材を取り外す作業が生じてしまう。そして、この屋根材の取り外し作業は手間であり、太陽電池モジュールの取り付け作業が煩雑化してしまう可能性がある。
【００１３】
そこで本発明は、上記した従来技術の問題に鑑み、すでに屋根材が葺かれた既設の屋根構造に太陽電池モジュールを取り付ける場合においても、太陽電池モジュールの取り付けを容易に実施可能な技術を提供することを課題とする。
【課題を解決するための手段】
【００１４】
上記課題を解決するための請求項１に記載の発明は、屋根材が敷きつめられ、さらにその上に取付具を介して太陽電池モジュールが設置された屋根構造であって、前記屋根材は軒側の面を有し、軒側の面の底側部分が他の屋根材の棟側に重ねられた状態で敷きつめられている屋根構造において、前記屋根材は設置状態を基準として軒側に向かう面に軒側壁面部が形成されており、前記取付具は、前記屋根材に固定される本体部と保持部材を有し、前記保持部材は、前記太陽電池モジュールの辺部を保持する、又は前記太陽電モジュールを固定するための部材を保持するものであって、前記本体部は、前記軒側壁面部に固定される軒側取付面と、前記屋根材の上に被さるとともに保持部材が取り付けられる保持部材取付部と、前記屋根材の上面側に当接する脚部とを有し、前記軒側取付面が前記軒側壁面部に対して締結要素を介して固定されていることを特徴とする屋根構造である。
【００１５】
本発明の屋根構造は、屋根材の一部である軒側の面の底側部分が他の屋根材の棟側に重ねられた状態で敷きつめられている。すなわち、棟側に位置する屋根材の軒側の面が、軒側に位置する屋根材の上面と交わっており、段差を形成した状態となっている。そして、この段差を形成している部分に対し、太陽電池モジュールを取り付けるための取付具を固定している。すなわち、屋根材を重ね合わせた際に形成される段差部分に取付具を固定する構造となっている。
この構造によると、ネジ、釘等（締結要素）を屋根の上面から屋根下地へ向かう方向に挿通することなく、取付具の固定が可能となる。具体的に説明すると、段差を形成している部分は、軒側の屋根材の上面と棟側の屋根材の上面の間に位置しており、これらと交わる面となっている。したがって、この面にネジ、釘等を挿通すると、上面に貫通孔を形成することなく取付具の固定が可能となる。
【００１６】
このため、本発明の屋根構造では、屋根材が葺かれて形成された既設の屋根構造に対して取付具を取り付けても、高い防水性を発揮することが可能となる。
詳細に説明すると、屋根材の上面に貫通孔が形成されるような従来の構造では、屋根材を上下方向に貫通する貫通孔から屋根下地側へと雨水等が浸入してしまうおそれがある。そのため、屋根材の上面に形成される貫通孔を他の屋根材で覆う構造としたり、コーキング処理を実施したりする必要が生じることとなる。
これに対して、本発明の屋根構造では、屋根材の上面に貫通孔を形成することなく取付具の固定が可能となっている。そのため、既設の屋根構造を形成する屋根材に取付具を取り付けても高い防水性を確保できる。このことから、すでに構築した既設の屋根構造を解体したりすることなく、この屋根構造を構成する屋根材に対して取付具を直接固定することが可能となる。また、取付具を固定する際、単に締結要素を挿通するといった簡単な取り付け作業により、取付具の固定が可能となる。
つまり、本発明の屋根構造では、太陽電池モジュールを取り付けるための取付具の固定作業が容易となることから、太陽電池モジュールの取り付け作業を簡易化できる。
【００１７】
請求項２に記載の発明は、前記屋根材に固定された前記軒側取付面の下端側が、他の屋根材の上面と当接していることを特徴とする請求項１に記載の屋根構造である。
【００１８】
かかる構成によると、取付具の一部が取付具を固定した屋根材とは異なる屋根材に上側から当接することとなる。このことから、取付具が太陽電池モジュール等から受ける荷重を複数の屋根材に分散させることが可能となり、取付具を固定した屋根材に大きな負荷がかからない構造とすることができる。別言すると、取付具を固定した屋根材の劣化、破損等を抑制できる。
【００１９】
請求項３に記載の発明は、前記本体部は一枚の金属板を折り曲げて成形されたものであり、前記脚部は前記屋根材の上面と面接触する面状部分を有し、前記軒側取付面と前記脚部との間に前記保持部材取付部が設けられており、前記面状部分と同一平面となる仮想面が前記軒側取付面と略垂直に交わることを特徴とする請求項１又は２に記載の屋根構造である。
【００２０】
かかる構成によると、取付具を固定した部分に対して荷重が集中してしまうことがなく、好適な荷重分散が可能となる。
【００２１】
請求項４に記載の発明は、軒側に向かう面に軒側壁面部が存在する屋根材と、太陽電池モジュールとの間に介在され、前記太陽電池モジュールを前記屋根材に固定する取付具において、前記屋根材側に固定される本体部と保持部材を有し、前記保持部材は、前記太陽電池モジュールの辺部を保持する、又は前記太陽電モジュールを固定するための部材を保持するものであって、前記本体部は、前記軒側壁面部に接すると共に当該軒側壁面部に締結要素を介して取り付けるための軒側取付面と、前記屋根材の上に隙間を空けた状態で被さると共に前記保持部材を締結要素を介して取り付けるための保持部材取付部と、前記屋根材の上面側に当接する脚部とを有することを特徴とする太陽電池モジュールの取付具である。
【００２２】
請求項５に記載の発明は、軒側に向かう面に軒側壁面部が存在する屋根材を複数備え、前記屋根材が列状及び複数段状に並べられて平面的な広がりをもって載置される屋根に対して太陽電池モジュールを取り付ける取付構造であって、請求項４に記載の太陽電池モジュールの取付具を備えており、前記軒側取付面を前記軒側壁面部に対して締結要素を介して固定することで、太陽電池モジュールの取付具が前記屋根材に固定されていることを特徴とする太陽電池モジュールの取付構造である。
【００２３】
本発明の太陽電池モジュールの取付具、本発明の太陽電池モジュールの取付構造においても、上記した本発明の屋根構造と同様であり、取付具を既設の屋根構造に対して取り付ける場合であっても、高い防水性を発揮することが可能となる。そのため、すでに葺かれた屋根構造を構成する屋根材に対して取付具を直接固定することが可能であり、単に締結要素を挿通するといった簡単な取り付け作業によって取付具の固定が可能となる。
【００２４】
請求項６に記載の発明は、請求項４に記載の太陽電池モジュールの取付具を用いる太陽電池モジュールの取付工法であって、屋根材の軒側に向かう面に存在する軒側壁面部に対し、前記軒側取付面を締結要素を介して固定する工程を含むことを特徴とする太陽電池モジュールの取付工法である。
【００２５】
本発明の太陽電池モジュールの取付具は、このような工法で固定されることが好ましい。
【発明の効果】
【００２６】
本発明によると、既設の屋根構造を形成する屋根材に取付具を取り付けても高い防水性を確保できる。このことから、すでに構築した既設の屋根構造を解体したりすることなく、取付具を屋根材に対して容易に固定可能であるので、太陽電池モジュールの取り付け作業を簡易化できる。
【図面の簡単な説明】
【００２７】
【図１】本発明の実施形態に係る屋根構造を示す斜視図である。
【図２】図１の屋根構造で採用した屋根材を示す斜視図である。
【図３】図１の取付具を示す斜視図である。
【図４】図３の本体部を示す斜視図である。
【図５】図３の保持部を示す斜視図である。
【図６】図５の保持部を示す分解斜視図である。
【図７】図３の保持部を図５とは異なる方向からみた状態を示す斜視図である。
【図８】図３の本体部に保持部を取付ける様子を示す説明図であり、（ａ）〜（ｃ）の順に取り付ける。
【図９】図３の取付具を示す分解斜視図である。
【図１０】本実施形態の屋根構造の施工手順を示す斜視図であり、屋根の軒先側の部分に取付具を取り付け、屋根の棟側の部分に取付具の一部である本体部を取付けた状態を示す。
【図１１】基礎屋根構造に対して本体部を取付ける様子を示す説明図である。
【図１２】基礎屋根構造に対して本体部を取付ける様子を示す断面図である。
【図１３】基礎屋根構造に取り付けた本体部に対して保持部を取り付ける様子を示す説明図である。
【図１４】図１０と同様の状態の屋根構造を示す断面図である。
【図１５】実施形態の屋根構造の施工手順を示す斜視図であり、図１０の状態の屋根構造に対してさらに太陽電池モジュールを載置した状態を示す斜視図である。
【図１６】実施形態の屋根構造の施工手順を示す図であり、図１５の状態の屋根構造に対し、棟側に位置する本体部に保持部を取付ける様子を示す断面図である。
【図１７】実施形態の屋根構造の施工手順を示す斜視図であり、図１６の状態から棟側に位置する本体部に保持部を取付け、さらに隣接する太陽電池モジュールのケーブル同士を接続し、このケーブルを鉤状部に係止した状態を示す。
【図１８】図１の取付具の取り付け時における傾きを調整する様子を示す説明図であり、（ａ）は取付具が傾いた状態を示し、（ｂ）は取付具が正常な姿勢となっている状態を示す。
【図１９】図２とは異なる屋根材を示す斜視図である。
【図２０】図１９で示す屋根材を葺いて構築した基礎屋根構造に対し、図３の本体部を取付ける様子を示す説明図である。
【図２１】図４とは異なる本体部を示す斜視図である。
【図２２】図４、図２１とは異なる本体部を示す斜視図であり、（ａ）は軒側からみた状態を示し、（ｂ）は棟側からみた状態を示す。
【図２３】図４、図２１、図２２とは異なる形態の取付具と、太陽電池モジュールを取り付けるためのレール部材を示す説明図である。
【発明を実施するための形態】
【００２８】
以下、本発明の実施形態について詳細に説明するが、本発明はこれらの例に限定されるものではない。なお、以下の説明において、特に断りがない限り、上下左右前後の位置関係は、通常の設置位置（図１）を基準に説明する。
【００２９】
本実施形態の屋根構造１は、屋根下地の上に屋根材２が葺かれて形成された基礎屋根構造３に対し、取付具４(太陽電池モジュールの取付具)を介して太陽電池モジュール５が取り付けられたものである。
【００３０】
屋根材２は、ガルバリウム鋼板等の金属板にメッキ処理をした後、所定の形状にプレス加工して形成されるものである。本実施形態の屋根材２は、図２で示されるように、略長方形平板状の屋根材本体１０と、屋根材本体１０の前端側部分を下方に折り返して形成される前方立板部１１と、屋根材本体１０の後端側部分を上側へ立ち上げて形成される後方立板部１２とを備えており、これらが一体となるように形成されている。
【００３１】
前方立板部１１は、屋根材本体１０の前端側部分から下方へ向かって突出する立板状の部分である。
なお、屋根材本体１０の前端側部分は、屋根上への設置時に軒側端部となる部分である。つまり、前方立板部１１は、屋根上への設置時に軒側に位置する部分に形成されており、前方立板部１１の前端面１１ａ(軒側壁面部)は軒側に向かう面となる。
【００３２】
取付具４は、図３で示されるように、主に本体部２０と、保持部２１(保持部材)とを有する構成となっている。
【００３３】
本体部２０は、ガルバリウム鋼板等の適宜な金属を所定の形状に打ち抜き、折り曲げ加工して形成されるものである。すなわち、本体部２０は、一枚の金属板を折り曲げて成形されたものである。より具体的には、本体部２０は、直立した長方形平板状の前板部２５と、前板部２５の上端部分を後方へ折り曲げて形成される長方形平板状の台板部２６(保持部材取付部)と、台板部２６の後側部分と連続する後側脚部２７(脚部)とを有する構成となっている。
【００３４】
前板部２５は、本体部２０の前端部分（軒側の端部）に位置する立板状の部分であり、上端近傍が後方に向かって折り曲げられた状態となっている。すなわち、前板部２５は、直立した長方形平板状であって下方側に位置する下板部分２５ａと、下板部分２５ａの上端から後方上側へ向かって突出する上板部分２５ｂによって形成されている。
【００３５】
また、前板部２５の下板部分２５ａには、前板部２５を厚さ方向に貫通する取付用孔３０が複数設けられている。より詳細には、２つの取付用孔３０が水平方向に間隔を空けて並列している。２つの取付用孔３０の一つである取付用孔３０ａは、上下方向に延びる長孔となっている。対して、もう一方の取付用孔３０ｂは、正面視した開口形状が円形となる丸孔となっている。すなわち、２つの取付用孔３０は開口形状がそれぞれ異なる孔となっており、そのうち１つのみが上下方向に延びる長孔となっている。別言すると、複数の取付用孔３０のうちで少なくとも１つの孔が上下方向に延びる長孔となっている。
【００３６】
台板部２６は、本体部２０の上端に位置する部分であり、保持部２１（図３参照）を載置可能な載置面を有している。すなわち、台板部２６は、保持部２１を固定するするための固定台として機能する部分である。
【００３７】
この台板部２６には、図４で示されるように、台板部２６を厚さ方向に貫通する貫通孔が設けられている。より詳細には、台板部２６の後側（棟側）近傍に左右方向に間隔を空けて並列する２つの貫通孔が設けられている。
【００３８】
この２つの貫通孔は、保持部２１（図３参照）を固定するための保持具取付孔３３となっている。この保持具取付孔３３には、ブラインドナット等の固定部材（図４では図示せず、図８等参照）が取り付けられており、さらに、ネジ等の締結要素が緩めた状態で取り付けられた状態となっている。
【００３９】
後側脚部２７は、台板部２６の後端部分（棟側の端部）から下方へ垂下された立板状の支持板部３７と、支持板部３７の下端から後方へ突出する長方形平板状の押圧板部３８(面状部分)とを有する構成となっている。
【００４０】
支持板部３７は、前板部２５と前後方向（梁間方向）で間隔を空けて対向するように位置しており、その下端部分は、前板部２５の下端部分よりも上方に位置している。このことから、押圧板部３８もまた、前板部２５の下端部分よりも上方に位置した状態となっている。
また、押圧板部３８が水平板状の部分であるのに対し、前板部２５は直立板状の部分となっている。別言すると、押圧板部３８が水平方向に広がりを持つ面を形成するのに対し、前板部２５は高さ方向を含む方向に広がりを持つ面を形成している。すなわち、押圧板部３８が形成する面と同一平面となる仮想面は、前板部２５（下板部分２５ａ）が形成する面と略垂直に交わることとなる。
【００４１】
押圧板部３８には、押圧板部３８を厚さ方向に貫通する貫通孔であるスペーサ取付孔３５と、押圧板部３８の一部を切り起こして形成される鉤状部３６とがそれぞれ設けられている。
【００４２】
スペーサ取付孔３５は、押圧板部３８に複数設けられており、より詳細には、２つのスペーサ取付孔３５が左右方向（桁行方向）に間隔を空けて並列するように形成されている。すなわち、一方のスペーサ取付孔３５は、押圧板部３８の左右方向における片側端部寄りの位置に形成され、他方のスペーサ取付孔３５は、押圧板部３８の左右方向における他方側端部寄りの位置に形成されている。これらはいずれも開口形状が円形の貫通孔となっている。
【００４３】
鉤状部３６は、押圧板部３８の幅方向における中心近傍に設けられており、２つのスペーサ取付孔３５の間に位置している。すなわち、押圧板部３８では、左右方向における片側端部側から他方端部側へ向かって、スペーサ取付孔３５、鉤状部３６、スペーサ取付孔３５がこの順序で並列するようにそれぞれ形成されている。
【００４４】
鉤状部３６は、押圧板部３８に正面視が略「Ｕ」字状となる切り込みを入れ、この切り込みに囲まれた部分を立ち上げて形成したものである。すなわち、この鉤状部３６は、押圧板部３８の一部を切り起こすと共に、その先端部分を鉤状に折曲することで形成されている。したがって、鉤状部３６は、押圧板部３８から上方へ突出する直立した長方形平板状の部分と、この立板状の部分の上端部分を前側（軒側）へ折り返して形成される平板状の部分とを有する構成となっている。そして、この鉤状部３６は、前方へと折り返された部分の下方側に、前方が開放された空間を形成している。
【００４５】
保持部２１は、図５で示されるように、保持部本体４２に押さえ板部材４３が装着されたものである。
【００４６】
保持部本体４２は、図６で示されるように、一枚の金属板を階段状に折曲することで形成される部分である。すなわち、この保持部本体４２は、いずれも長方形平板状の部分である第１平板部４７、第１立板部４８、第２平板部４９、第２立板部５０が順に連続するように形成されている。このうち、第１立板部４８と第２立板部５０とは、直立した姿勢となっている。
【００４７】
より詳細に説明すると、この保持部本体４２では、第１平板部４７の軒側端部から第１立板部４８が上方に突出しており、第１立板部４８の上端から第２平板部４９が軒側に突出しており、第２平板部４９の軒側端部から第２立板部５０が上方へ突出した状態となっている。
【００４８】
第１平板部４７には、取付用長孔５３が複数設けられている。すなわち、２つの取付用長孔５３が左右方向（桁行方向）に間隔を空けて並列するように形成されている。
【００４９】
この取付用長孔５３は、図７で示されるように、いずれも第１平板部４７の後端（棟側端部であり図７では前端部）よりやや前方（軒側であり図７では後方）に位置する部分から、第１立板部４８の壁面に至るまで延びている。
つまり、この取付用長孔５３は、第１立板部４８の壁面を厚さ方向に貫通する長孔延長部５３ａと、第１平板部４７を厚さ方向に貫通する長孔本体部５３ｂとが連続して形成される長孔となっている。長孔延長部５３ａは、その開口形状が略四角形となる貫通孔であり、その幅方向の長さが長孔本体部５３ｂよりも長くなっている。そして、長孔延長部５３ａは、ネジの頭部が通過可能な大きさに設計されている。また、長孔本体部５３ｂは、ネジの軸部は通過可能であるが、ネジの頭部は通過できない寸法に設計されている。
【００５０】
また、第２立板部５０には、図６で示されるように、押さえ板部材４３を固定するための板固定用孔５５が形成されている。この板固定用孔５５は、第２立板部５０を部材厚方向に貫通する雌ネジ孔であり、左右方向（桁行方向）に間隔を空けて並列するように形成されている。
【００５１】
押さえ板部材４３は、側面視した形状が略「コ」字状となる部材であり、直立した長方形平板状の正面板部５８と、正面板部５８の上端から後方へ突出する長方形平板状の天板部５９と、正面板部５８の下端から後方へ突出する長方形平板状の下板部６０とを有する構成となっている。
【００５２】
押さえ板部材４３の正面板部５８にもまた、正面板部５８を厚さ方向に貫通する板固定用孔６１が設けられている。この板固定用孔６１は、正面板部５８を厚さ方向に貫通する貫通孔となっており、左右方向（桁行方向）に間隔を空けて並列するように形成されている。
【００５３】
続いて、取付具４の組み立て構造について説明する。
【００５４】
取付具４は、図３で示されるように、台板部２６の上に保持部２１が載置された状態で固定されたものである。すなわち、本体部２０に保持部２１が固定されることで、取付具４が形成されている。保持部２１を本体部２０に取り付ける際の推奨される手順に沿って、取付具４の組み立て構造を詳細に説明する。
【００５５】
ここで、台板部２６の保持具取付孔３３には、上記したように、ブラインドナット等の固定部材が取り付けられており、さらに、ネジ等の締結要素が緩めた状態で取り付けられている（図４、図８等参照）。
【００５６】
そして、保持部２１を本体部２０に取り付ける際には、図８（ａ）で示されるように、保持具取付孔３３に挿通された締結要素よりも後側（棟側）の部分に、保持部本体４２の第１立板部４８を位置させた状態とする。そして、そのまま保持部本体４２を前方（軒側であり図８では左側）へとスライド移動させると、締結要素（ネジ）の頭部が取付用長孔５３の長孔延長部５３ａ（図７等参照）を通過し、第１平板部４７の上側に位置した状態となる（図８（ｂ）参照）。この状態で締結要素（ネジ）を締め付けることにより、台板部２６に保持部本体４２が固定された状態となる（図８（ｃ）参照）。
【００５７】
また、保持部本体４２には、押さえ板部材４３が固定された状態となっている。
すなわち、図６、図９で示されるように、保持部本体４２の第２立板部５０と、押さえ板部材４３の正面板部５８とを重ね合わせ、第２立板部５０の板固定用孔５５と正面板部５８の板固定用孔６１とが合致された状態とする。つまり、これらの孔が連通した状態とする。そして、これらにネジ等の締結要素を挿通することにより、保持部本体４２に押さえ板部材４３が固定された状態となる。
【００５８】
このように組み立てられた取付具４では、図３で示されるように、台板部２６と第２平板部４９によって構成される第１凹部６５と、第２平板部４９と押さえ板部材４３の天板部５９によって構成される第２凹部６６とが形成されることとなる。
【００５９】
第１凹部６５は、台板部２６の上面と第２平板部４９の下面との間に形成される空間であり、前側（軒側）に向かって開口している。対して、第２凹部６６は、第２平板部４９の上面と天板部５９の下面との間に形成される空間であり、後側（棟側）に向かって開口している。つまり、第１凹部６５と第２凹部６６とはそれぞれ逆方向に開口した状態となっている。
【００６０】
また、第１凹部６５と第２凹部６６の内側には、それぞれ保護部材７０が取り付けられている。第１凹部６５では、奥側（後側であり棟側）の端部近傍に保護部材７０が取り付けられている。この保護部材７０は、第１立板部４８の前面（軒側端面）の少なくとも一部と、第２平板部４９の下面の少なくとも一部を覆うように設けられている。また、第２凹部６６では、少なくとも天板部５９の下面が保護部材７０によって覆われた状態となっている。
なお、この保護部材７０は、ゴム等の弾性体で形成されている。
【００６１】
さらに、本実施形態の屋根構造１の施工方法について説明する。
【００６２】
まず、図１０で示されるように、屋根下地の上に屋根材２が葺かれて形成された基礎屋根構造３に対し、取付具４の本体部２０を取り付けた状態とする。
詳細に説明すると、予め定められた取付具４の配置位置に本体部２０を仮置きし、本体部２０の前板部２５の後端面（軒側取付面）が屋根材２の前方立板部１１に接触した状態とする。別言すると、前板部２５の棟側端部に位置する棟側端面が前方立板部１１に接触した状態とする。つまりは、本体部２０の前板部２５と、屋根材２の前端面１１ａとが接触した状態とする。そして、ビス等の締結要素を介して本体部２０を屋根材２に固定する。
なお、締結要素とは、ビス、木ネジ、釘等の上位概念であるものとする。
【００６３】
本実施形態では、最も軒先寄りの部分に取り付ける本体部２０、すなわち、軒先上部に取り付ける本体部２０と、その他の部分に取り付ける本体部２０では取り付け方法が異なっている。
【００６４】
まず、棟側に取り付ける本体部２０について説明する。
本実施形態では、図１１、図１２で示されるように、本体部２０の前側（軒先側）に位置する前板部２５と、屋根材２の前方立板部１１とを重ね合わせ、これらを締結要素を介して一体に固定し、本体部２０を屋根材２に固定している。換言すると、前板部２５と前方立板部１１とを接触した状態（又は僅かに隙間を空けて近接した状態）とし、これらを一体に固定している。より詳細には、前板部２５の取付用孔３０が形成された部分に締結要素を位置合わせし、その状態から締結要素を捩じ込むことにより、締結要素が取付用孔３０に挿通されると共に屋根材２に水平方向（桁行方向）に延びる貫通孔が形成される。
【００６５】
このとき、前板部２５と前方立板部１１とは、いずれも直立した姿勢となっており、締結要素はこれらを厚さ方向に貫通することとなる。つまり、本実施形態では、本体部２０を屋根上に固定するとき、締結要素を水平方向（桁行方向）に沿って挿通させる構成となっている。
【００６６】
このような構成によると、屋根材２の上面側から締結要素を挿通する構成と比べ、雨漏りし難い構成することができる。
すなわち、屋根材２の上面側から締結要素を挿通し、屋根材２を上下方向に貫通する貫通孔が形成されると、貫通孔から屋根材２の裏面側（屋根下地側）へと雨水等が浸入してしまうおそれがある。これに対し、本実施形態では、締結要素を水平方向に沿って挿通させる構成となっている。そのため、形成される貫通孔もまた水平方向に延びる貫通孔となる。このことにより、雨水等がこの貫通孔の内部に浸入し難く、また、屋根材２の裏面側へ流れ難い構造とすることができる。
【００６７】
つまり、すでに形成された基礎屋根構造３に対して取付具４を取り付ける際、本体部２０を屋根上に仮置きして締結要素で固定するだけで、防水性の高い取り付けが可能となる。このように、本実施形態では、屋根材２等を取り外すことなく取付具４を屋根上に固定可能となっている。さらにいうと、取付具４を固定するために、すでに構築した基礎屋根構造３を解体する必要のない構造となっている。したがって、取り付け作業の簡易化を図ることができる。
【００６８】
さらに、この本体部２０は、図１１、図１２で示されるように、桁行方向で段状に配される２つの屋根材２（例えば、屋根材２ａと屋根材２ｂ）に跨った状態で固定されている。つまり、２つの屋根材２が連なる部分に形成される段差、より具体的には、上側（棟側）に位置する屋根材２ｂの屋根材本体１０と前方立板部１１によって形成される段差を跨いだ状態となっている。このため、本体部２０の一部である台板部２６は、屋根材２の上側に間隔を空けて配された状態、すなわち、屋根材２から離れた位置で屋根材２の上に被さった状態となっている。このため、台板部２６の裏面側に取り付けたリベット等が屋根材２に接触することはない。
【００６９】
そして、本体部２０のうち、前板部２５の下端部分が軒側に位置する屋根材２ａの上面と接触しており、後側脚部２７の押圧板部３８が棟側に位置する屋根材２ｂの上面と接触している。より詳細には、上側（棟側）に位置する屋根材２ｂの前方立板部１１に固定される本体部２０のうち、前板部２５は、下側（軒側）に位置する屋根材２ａの上に接触した状態となっている。すなわち、本体部２０の一部は、本体部２０を固定した屋根材２ｂとは異なる屋根材２ａに上方から接触した状態となっている。
また、後側脚部２７の押圧板部３８は、棟側に位置する屋根材２ｂの上面に当接した状態となっている。すなわち、本体部２０を固定した屋根材２ｂの上面に上方から接触した状態となっている。
【００７０】
このことにより、太陽電池モジュール５を設置した際に取付具４が受ける荷重を複数の屋根材２に分散することができる。そのため、１つの屋根材２に荷重が集中してしまうことがなく、屋根材２の劣化、破損を抑制できる。
なお、取付具４が受ける荷重には、太陽電池モジュール５の自重の他、積雪荷重、台風等の強風による風圧荷重等がある。
【００７１】
このことに加え、締結要素を挿通するための取付用孔３０が設けられた前板部２５が、本体部２０の前方で荷重を受ける脚部として作用している。このことから、取付用孔３０の近傍、延いては、取付用孔３０に挿通された締結要素に荷重がかかり難い構造となっている。すなわち、取付用孔３０の近傍にかかる荷重を屋根材２へと分散可能となっている。このことから、締結要素の抜け方向に荷重がかかり難い構成となっており、取付具４の屋根材２からの意図しない脱落を抑制可能となっている。
【００７２】
続いて、最も軒先側に取り付ける本体部２０について説明する。
本実施形態では、図１１、図１２で示されるように、最も軒先側に取り付ける本体部２０のみ、後側脚部２７の押圧板部３８に取り付け用の貫通孔を設けている。そして、押圧板部３８の下面と屋根材２の上面を重ね合わせ、これらを締結要素で挿通し、一体に固定している。つまり、最も軒先側に位置する本体部２０を取り付ける場合のみ、屋根材２の上面側から締結要素を挿通する構成となっている。
【００７３】
詳細に説明すると、最も軒先側に取り付けられる取付具４は、通常、基礎屋根構造３の軒先側の端部近傍に取り付けられることとなる。この部分は、基礎屋根構造３に吹かれた屋根材２のうち、最も軒側に位置する屋根材２のうちで軒側端部寄りの部分となる。ここで、この軒側端部寄りの部分の下方側には、図１２で示されるように、屋根材２の屋根下地の間に軒先水切７３が配された状態となっている。そして、この軒先水切７３は、面状に広がりを持つ部材となっている。
【００７４】
このため、この軒側端部寄りの部分では、屋根材２の上面側から締結要素を挿通し、上下方向に延びる貫通孔が形成されたとしても、屋根下地まで雨水等が到達しにくい構造となっている。すなわち、上下方向に延びる貫通孔に雨水等が流れ込んだとしても、この雨水等の流れが軒先水切７３によって遮られ、雨水等が屋根下地側に浸入し難い構造となっている。
【００７５】
つまり、本実施形態では、屋根材２に上下方向に延びる貫通孔が形成されたとしても、雨水等が屋根下地側に浸入し難い部分、すなわち、基礎屋根構造３の軒先側の端部近傍となる部分に本体部２０を固定する場合のみ、屋根材２の上面側から締結要素を挿通している。別言すると、基礎屋根構造３の全領域のうちで軒先水切７３が配されている領域、すなわち、屋根材２と屋根下地の間に面状に広がりを持つ部材が配されている領域に本体部２０を固定する場合のみ、屋根材２の上面側から締結要素を挿通している。このことにより、屋根下地への雨水等の浸入を阻止しつつ、最も軒先側に位置する取付具４をさらに強固に固定している。
【００７６】
以上のように、本実施形態では、最も軒先側に位置する本体部２０を取り付ける場合のみ、屋根材２の上面側から締結要素を挿通する構成となっている。換言すると、最も軒先側に位置する本体部２０を除いた他の本体部２０は、上面側から締結要素を挿通することなく取り付ける構成となっている。すなわち、棟側に位置する本体部２０を固定するための締結要素は、いずれも水平方向に沿って挿通された状態となっている。
つまり、屋根構造１で採用される本体部２０のうちの少なくとも１つは、上面側から締結要素を挿通することなく取り付けられている。別言すると、屋根構造１で採用される本体部２０のうちの少なくとも１つは、屋根材２に固定するための締結要素の挿通方向が水平方向に沿った方向のみとなっている。さらに言うと、この本体部２０を屋根材２に固定するための締結要素は、全て横方向から挿通された状態となっている。
【００７７】
そして、基礎屋根構造３に対して本体部２０を取り付ける工程に続き、この本体部２０に保持部２１を取り付ける工程を実施する。
【００７８】
すなわち、上記したように、保持具取付孔３３よりも後側の部分に第１立板部４８を位置させた状態から、保持部本体４２を前方へとスライド移動させ、保持具取付孔３３に予め取り付けておいた締結要素（ネジ）を締め付ける（図８、図１３参照）。このことにより、図１４で示されるように、本体部２０に保持部２１を固定する。
【００７９】
なお、本体部２０に保持部２１を固定する工程では、保持部本体４２と押さえ板部材４３を予め一体に固定した後に、保持部２１を本体部２０に固定してもよい。また、予め保持部本体４２だけを本体部２０に固定し、本体部２０に固定された状態の保持部本体４２に対して押さえ板部材４３を取り付けてもよい。
【００８０】
続いて、第１段目の太陽電池モジュール５を取り付ける工程を実施する。
【００８１】
図１５、図１６で示されるように、最も軒側に位置する取付具４の第２凹部６６と、太陽電池モジュール５の軒側端部とが嵌合した状態とする。すなわち、太陽電池モジュール５の軒側端部が、押さえ板部材４３の下面と保持部本体４２（台板部２６）の上面との間に配され、これら押さえ板部材４３と保持部本体４２によって挟み込まれた状態とする。
【００８２】
そして、太陽電池モジュール５の棟側端部を、棟側に位置する本体部２０の上に載置する。より詳しくは、太陽電池モジュール５の棟側端部は、本体部２０の上端に位置する台板部２６の上面のうち、軒側寄りの部分に載置された状態となる。
【００８３】
このように太陽電池モジュール５の棟側端部が載置された状態で、棟側に位置する本体部２０に対し、保持部２１を取り付ける。なお、この保持部２１の取り付け方法は、最も軒先側に位置する本体部２０に保持部２１を取り付ける場合と同様である。つまり、保持部本体４２を前方へとスライド移動させ、保持具取付孔３３に予め取り付けておいた締結要素（ネジ）を締め付ける（図８等参照）。
【００８４】
そして、隣接する太陽電池モジュール５から延びるケーブル同士を繋ぎ合わせ、このケーブルを取付具４に設けられた鉤状部３６（図３等参照）に係止した状態とする。このことにより、図１７で示されるように、第１段目の太陽電池モジュール５が取り付けられた状態となる。
【００８５】
そして、第１段目と同様に、第２段目以降の太陽電池モジュール５を取り付ける工程を順次実施していく。このことにより、図１で示されるような、本実施形態の屋根構造１が完成する。
【００８６】
ところで、本実施形態の取付具４では、上述したように、本体部２０の前板部２５に形成した取付用孔３０のうち、一方の取付用孔３０ａを長孔とし、他方の取付用孔３０ｂ丸孔としている（図３等参照）。このことから、取付具４を屋根材２に固定した後に、取付具４の傾きを調整可能となっている。
【００８７】
例を挙げて具体的に説明すると、仮に屋根材２に対して本体部２０を固定したとき、図１８（ａ）で示されるように、取付具４が傾いた状態であったとする。この場合、長孔である取付用孔３０ａに挿通された締結要素（ネジ等）をやや緩めたりすることにより、もう一方の取付用孔３０ｂに挿通された締結要素を軸として、本体部２０が揺動可能な状態となる。このことにより、取付具４を傾いた姿勢（図１８（ａ）で示される姿勢）から、取付具４が正常に取り付けられた姿勢（図１８（ｂ）で示される姿勢）へと移行することができる。つまり、取付具４の傾きを調整可能となっている。
【００８８】
上記した実施形態では、屋根材本体１０の上面が平らな状態となっている屋根材２を採用した例を示したが、本発明の屋根構造はこれに限るものではない。
本発明の屋根構造は、図１９で示されるように、屋根材本体１１０の上面に凹凸が形成された屋根材１０２を採用してもよい。上記した実施形態の取付具４は、このような屋根材１０２を採用した場合であっても好適に使用可能となっている。
【００８９】
具体的に説明すると、このような屋根材１０２が屋根下地上に葺かれて形成された基礎屋根構造１０３に対し、上記した場合と同様に、本体部２０を取り付けたとする。このとき、図１９で示されるように、屋根材１０２の上面に形成される窪んだ部分が、押圧板部３８の下方に位置してしまう場合が考えられる。すなわち、押圧板部３８の一部では、下方に窪んだ部分が位置しており、押圧板部３８の他の部分では、下方に窪んでいない部分が位置した状態となることが考えられる。この場合、取付具４に荷重がかかったときに、押圧板部３８が水平状態で安定しないおそれがある。
【００９０】
そこで、本体部２０には、図３等で示されるように、押圧板部３８にスペーサ取付孔３５が設けられている。そして、図２０で示されるように、スペーサ部材１１５を取り付け可能となっている。
【００９１】
スペーサ部材１１５を取り付けると、押圧板部３８と屋根材１０２の間にスペーサ部材１１５の少なくとも一部が介在することとなる。そして、押圧板部３８と一体に取り付けられ、押圧板部３８の下面から下方へ突出するスペーサ部材１１５の下部が、屋根材１０２の下方に窪んだ部分の上面と接触した状態となる。このことから、押圧板部３８に上から荷重がかかった場合であっても、押圧板部３８がぐらつくことがなく、水平状態で安定することとなる。すなわち、押圧板部３８のうちで屋根材１０２の窪んだ部分の上側に位置する部分は、スペーサ部材１１５によってその姿勢が維持されることとなる。
【００９２】
つまり、上記した実施形態の取付具４は、屋根材本体１１０の上面に凹凸が形成された屋根材１０２を採用した場合であっても、安定性の高い取付けが可能であり、好適に使用可能となっている。
【００９３】
上記した実施形態では、押圧板部３８の一部を切り起こして鉤状部３６を形成したが、本発明はこれに限るものではない。上記した鉤状部３６とは異なる鉤状部１３６を備えた本体部１２０につき、図２１を参照しつつ詳細に説明する。なお、上記した本体部２０と同等のものについては、同一の符号を付して説明を省略する。
【００９４】
本体部１２０には、押圧板部１３８の後端部分から上方へ突出する立壁部１３９が形成されている。そして、この立壁部１３９の上端部分に鉤状部１３６が形成されている。
【００９５】
鉤状部１３６は、長方形平板状の部分であり、立壁部１３９の上端部分から軒側へ突出している。この鉤状部１３６もまた、立壁部１３９の幅方向における中心近傍に設けられている。
【００９６】
ここで、立壁部１３９は押圧板部１３８の後端部分（軒側端部）が上方へ折り返されて形成されており、鉤状部１３６は立壁部１３９の上端側の一部分が前方（軒側）へ折り返されて形成されている。すなわち、これらの部分は、所定の形状に打ち抜いた金属板を折り曲げ加工することにより形成されている。
【００９７】
すなわち、本体部２０，１２０に形成される鉤状部３６，１３６の形状は適宜変更してよく、また、配置位置、数等も適宜変更してよい。すなわち、鉤状部３６，１３６は１つのみ形成してもよく、複数形成してもよい。例えば、２つの鉤状部３６を設け、これらを押圧板部３８の幅方向（左右方向であり桁行方向）に間隔を空けて並列するように配してもよい。
さらに、本発明の太陽電池モジュールの取付具は、このような実施形態のものに限るものではなく、以下のような本体部２２０を備えたものであってもよい。
【００９８】
この本体部２２０における鉤状部２３６は、押圧板部２３８に正面視が略「Ｕ」字状となる切り込みを入れ、この切り込みに囲まれた部分を立ち上げて形成したものである。すなわち、押圧板部２３８の一部を切り起こすと共に、その先端部分を鉤状に折曲することで形成されている。
【００９９】
そして、上記した実施形態では、２つのスペーサ取付孔３５の間に鉤状部３６を設けたが、この本体部２２０では、スペーサ取付孔２３５より後方（棟側）に鉤状部２３６が位置している。
すなわち、この本体部２２０では、図２２（ｂ）で示されるように、押圧板部２３８の前端近傍（軒側近傍）に２つスペーサ取付孔２３５と、２つの固定用孔２３７とが設けられている。なお、固定用孔２３７は、軒先部分に取り付ける際に締結要素を挿通するための孔となっており、スペーサ取付孔２３５よりも開口径が大きくなっている。
【０１００】
このスペーサ取付孔２３５と固定用孔２３７は、左右方向（桁行方向）に間隔を空けて並列するように形成されている。詳細には、左右方向における片側端部側から他方端部側へ向かって、スペーサ取付孔２３５、固定用孔２３７、固定用孔２３７、スペーサ取付孔２３５がこの順序で並列し、貫通孔の列を形成している。そして、この貫通孔の列よりも後方（棟側）であって押圧板部２３８の幅方向（左右方向）における中心近傍に、鉤状部２３６が形成されている。
【０１０１】
また、この本体部２２０の台板部２６には、保護部材２７０が取り付けられている。
保護部材２７０は、外形が略直方体状であり、台板部２６の前端（軒側端部）に取り付けられ、台板部２６の幅方向に延びた状態となっている。より詳細には、保護部材２７０は、台板部２６の幅方向における片側端部から他方端部まで延びた状態となっている。この保護部材２７０は、弾性を有する発泡シール材であり、太陽電池モジュール５の辺部が台板部２６に載置された際に緩衝材として作用するものである。
具体的に説明すると、太陽電池モジュール５の辺部を台板部２６に載置するとき、これらが広く面接触すると、太陽電池モジュール５の辺部が擦れて傷ついてしまう可能性がある。そこで、この本体部２２０では、台板部２６の上面に保護部材２７０を取り付ける構造とし、太陽電池モジュール５を載置した際に、太陽電池モジュール５と台板部２６の間に保護部材２７０が介在させている。このことにより、太陽電池モジュール５と台板部２６とが広範囲に亘って直接接触せず、太陽電池モジュール５の損傷を防止可能となっている。
【０１０２】
さらに、この本体部２２０には、前板部２２５の上板部分２２５ｂに配線固定用孔２４５が設けられている。
【０１０３】
配線固定用孔２４５は、上板部分２２５ｂを厚さ方向に貫通する貫通孔であり、前板部２２５の幅方向における片側端部近傍と、他方側端部近傍とにそれぞれ１つずつ設けられている。
そして、配線固定用孔２４５は、太陽電池モジュール５から延びる配線を束ねるための結束具やアース線を固定するための貫通孔となっている。具体的には、配線固定用孔２４５は、結束具やアース線を固定部材（図示せず）を介して取り付けたり、結束具やアース線を直接挿通して固定するための孔となっている。つまり、この配線固定用孔２４５は、太陽電池モジュール５と連続する配線を直接又は間接的に固定するための配線固定部として機能する部分となっている。
【０１０４】
上記した実施形態では、本体部２０に対し、太陽電池モジュール５の辺部を直接保持する保持部２１を取り付けた例を示したが、本発明はこれに限るものではない。例えば、図２３で示されるように、レール状架台３０８を固定するための保持部３２１を本体部３２０に取り付けてもよい。すなわち、保持部３２１と太陽電池モジュール５の間にレール状架台３０８を介在させ、太陽電池モジュール５を間接的に保持する取付具であってもよい。このような実施形態に係るレール状架台３０８、保持部３２１、本体部３２０につき、以下で詳細に説明する。
【０１０５】
レール状架台３０８は、公知のそれと同様のものであり、太陽電池モジュール５を固定するための長尺状の部材となっている。
【０１０６】
本体部３２０は、台板部２６に形成されている保持具取付孔３３３の位置が、上記した本体部２０とは異なる位置となっている。より詳細には、台板部２６の前後方向（梁間方向）における中心近傍であり、且つ、左右方向（幅方向であり、桁行方向）の片側端部近傍及び他方側端部近傍にそれぞれ１つずつ保持具取付孔３３３が形成されている。そして、この保持具取付孔３３３は、台板部２６を厚さ方向に貫通する貫通孔となっている。つまり、台板部２６の前後方向における中心近傍には、左右方向に間隔を空けて並列する２つの貫通孔が設けられている。
なお、上記した本体部２０では、保持具取付孔３３にネジ等の締結要素を緩めた状態で取り付けた状態とした。これに対し、本実施形態の本体部３２０では、保持具取付孔３３３に締結要素が予め取り付けられていない状態としている。
【０１０７】
保持部３２１は、長方形平板状の取付板部３５０と、取付板部３５０から上方に突出する立板状の挟持板部３５１と、２つの挟持板部３５１の間に位置してこれらを連結する連結板部３５２とを有している。
【０１０８】
取付板部３５０は、保持部３２１の下端部分であり、且つ、左右方向における両端部分にそれぞれ位置した状態となっている。つまり、保持部３２１の下端部分では、２つの取付板部３５０が左右方向で間隔を空けて並列している。そして、２つの取付板部３５０には、それぞれ取付用孔３５５が設けられている（一方のみを図示し、他方については図示せず）。この取付用孔３５５は、取付板部３５０を厚さ方向に貫通する貫通孔となっている。
【０１０９】
さらに、２つの取付板部３５０の並列方向における内側端部から、それぞれ挟持板部３５１が上方に突出している。そして、２つの挟持板部３５１は、左右方向で所定の間隔を空けて対向した状態となっている。
【０１１０】
そして、この保持部３２１は、２つの挟持板部３５１の間にレール状架台３０８を位置させ、レール状架台３０８を保持することが可能となっている。そして、基礎屋根構造３に固定された本体部３２０に保持部３２１を固定し、保持部３２１にレール状架台３０８を固定することで、レール状架台３０８を屋根上に固定することが可能となっている。
なお、保持部３２１を本体部３２０に固定する際には、保持部３２１の取付用孔３５５と、本体部３２０の保持具取付孔３３３とを重ね合わせ、これらに締結要素を挿通した状態とする。このことにより、本体部３２０と保持部３２１を一体に固定することが可能となっている。
【符号の説明】
【０１１１】
１  屋根構造
２  屋根材
４  取付具(太陽電池モジュールの取付具)
５  太陽電池モジュール
１１ａ  前端面(軒側壁面部)
２０，１２０，２２０，３２０  本体部
２１  保持部(保持部材)
２６  台板部(保持部材取付部)
２７  後側脚部(脚部)
３８，１３８，２３８  押圧板部(面状部分)
【図１】
2015055075.tif 000003
【図２】
2015055075.tif 000004
【図３】
2015055075.tif 000005
【図４】
2015055075.tif 000006
【図５】
2015055075.tif 000007
【図６】
2015055075.tif 000008
【図７】
2015055075.tif 000009
【図８】
2015055075.tif 000010
【図９】
2015055075.tif 000011
【図１０】
2015055075.tif 000012
【図１１】
2015055075.tif 000013
【図１２】
2015055075.tif 000014
【図１３】
2015055075.tif 000015
【図１４】
2015055075.tif 000016
【図１５】
2015055075.tif 000017
【図１６】
2015055075.tif 000018
【図１７】
2015055075.tif 000019
【図１８】
2015055075.tif 000020
【図１９】
2015055075.tif 000021
【図２０】
2015055075.tif 000022
【図２１】
2015055075.tif 000023
【図２２】
2015055075.tif 000024
【図２３】
2015055075.tif 000025